(57)【要約】      （修正有）【課題】紫外線を照射する殺菌ランプの作動有無を外部で確認できる化粧品容器を提供する。【解決手段】内部に口紅が収容される下部ケース４を含む本体と、本体を開閉する上部ケース５を含む蓋と、蓋の内部に装着される発光モジュール８と、を含み、発光モジュールは、口紅に対して殺菌機能を有する第１ランプ８８ａと、表示機能を有する第２ランプ８８ｂと、を含み、第１ランプ、第２ランプは蓋を閉じると同時に一定時間点灯してから消灯し、第２ランプにより外部で第１ランプの作動有無が確認できる。【選択図】図１
0003231273.tif 000002
【実用新案登録請求の範囲】
【請求項１】
内部に口紅が収容される下部ケースを含む本体と、
前記本体を開閉する上部ケースを含む蓋と、
前記蓋の内部に装着される発光モジュールと、を含み、
前記発光モジュールは、
前記口紅に対して殺菌機能を有する第１ランプと、
表示機能を有する第２ランプと、を含み、
前記第１ランプ、前記第２ランプは前記蓋を閉じると同時に一定時間の間点灯してから消灯し、前記第２ランプは外部で前記第１ランプの作動有無が確認できるようにすることを特徴とする化粧品容器。
【請求項２】
前記発光モジュールは、
前記第１ランプが実装され下部を構成する第１回路基板と、
前記第１回路基板と電気的に連結され、前記第２ランプが実装され上部を構成する第２回路基板と、
前記第１回路基板と前記第２回路基板に設けられ、前記第１ランプ、前記第２ランプに電源を供給する少なくとも１つのバッテリーと、
前記第１回路基板に実装され、前記蓋を閉じるとき前記下部ケースの縁に接して電源がオン状態になるようにするスイッチと、を含むことを特徴とする請求項１に記載の化粧品容器。
【請求項３】
前記第１ランプからの紫外線が照射されない前記口紅の側面部に紫外線が間接照射されるようにする紫外線反射手段をさらに含むことを特徴とする請求項１に記載の化粧品容器。
【請求項４】
前記紫外線反射手段は、
前記第１ランプが中心に位置し、前記第１ランプから照射される紫外線を反射して前記口紅の側面に間接照射される角度をなす皿型反射体であることを特徴とする請求項３に記載の化粧品容器。
【請求項５】
前記紫外線反射手段は、
前記第１ランプから照射される紫外線を反射して前記口紅の側面に間接照射されるように前記下部ケースの内側面に設けられる円筒型反射体であることを特徴とする請求項３に記載の化粧品容器。
【請求項６】
前記紫外線反射手段は、
前記第１ランプの発光部分に設けられ、前記第１ランプから照射される紫外線の広がり角度を調整して前記円筒型反射体に紫外線を送る凹レンズをさらに含むことを特徴とする請求項５に記載の化粧品容器。
【請求項７】
内部に口紅が収容される下部ケースを含む本体と、
前記本体を開閉する上部ケースと、前記上部ケースの上端部を密閉するカバーを含む蓋と、
前記カバーに付着される化粧道具と、
前記上部ケースの内部に装着される発光モジュールと、を含み、
前記発光モジュールは、
前記口紅に対して殺菌機能を有する第１ランプと、
前記蓋を閉じると、前記第１ランプと同時に一定時間の間点灯してから消灯し、前記化粧道具に対して殺菌機能を有する第３ランプと、を含むことを特徴とする化粧品容器。
【請求項８】
殺菌機能を有する第１ランプと、
表示機能を有する第２ランプと、を含む発光モジュールが装着され、
前記発光モジュールは、
殺菌対象物を収容するケースに結合されると、前記第１ランプ、前記第２ランプが同時に一定時間の間点灯して前記殺菌対象物を殺菌し、一定時間後には自動的に消灯することを特徴とする化粧品容器の蓋。
【請求項９】
前記発光モジュールは、
前記第１ランプが実装され下部を構成する第１回路基板と、
前記第１回路基板と電気的に連結され、前記第２ランプが実装され上部を構成する第２回路基板と、
前記第１回路基板と前記第２回路基板に設けられ、前記第１ランプ、前記第２ランプに電源を供給する少なくとも１つのバッテリーと、
前記第１回路基板に実装され、前記ケースに接触すると、電源がオン状態になるようにするスイッチと、を含むことを特徴とする請求項８に記載の蓋。
【請求項１０】
前記第１ランプからの紫外線が照射されない前記殺菌対象物の側面部に紫外線が間接照射されるようにする紫外線反射手段をさらに含むことを特徴とする請求項８に記載の蓋。
【請求項１１】
前記紫外線反射手段は、
前記第１ランプが中心に位置し、前記第１ランプから照射される紫外線を反射して前記殺菌対象物の側面に間接照射される角度をなす皿型反射体であることを特徴とする請求項１０に記載の蓋。
【考案の詳細な説明】
【技術分野】
【０００１】
本考案は化粧品容器に関するもので、より詳細には、紫外線を照射する殺菌ランプの作動有無を外部で確認できるようにする機能とともに、紫外線が直接照射される部分だけでなく、直接照射されない部分にも間接照射されるようにして口紅の露出される全ての部分の汚染を防止するための殺菌機能を有する化粧品容器に関する。
【背景技術】
【０００２】
通常、人は化粧を通じて自分を美しく飾ろうとする願望がある。従って、人は肌を含む髪、爪、唇などを様々な方法で化粧することにより、満足を感じる。
【０００３】
特に、唇の場合、赤い系統で化粧して顔から唇が目立って見えるようにする化粧が広く利用されており、このとき、人は口紅やリップグロスなどを利用して唇の化粧をする。このとき、口紅などは唇に色を付けて唇を美しく見えるようにしながらも、唇が乾燥してひび割れることを防止するという効果がある。
【０００４】
当該口紅は基本的に筒状の化粧品容器に収容され、使用者が容器の下端部を回転させると、口紅が上昇して外部に露出される。使用者は外部に露出された口紅を利用して唇の化粧を完了した後、容器の下端部を反対方向に回転させることで口紅を下降させて内部に保管させる。
【０００５】
ところが、口紅を唇に接触した状態で組成物を塗ると、使用者の唇に生息していた微生物及び細菌が口紅に移動して口紅を汚染させ、このような状態で保管すると、容器の内部で有害菌が繁殖して組成物を腐敗させるだけでなく、汚染されたことを知らずに使用した使用者の唇及びその周りが感染するなど使用者の被害事例が増えているのが実情である。
【０００６】
そのため、最近では殺菌機能を有する化粧品容器が上市されている。
【０００７】
しかし、紫外線を利用した殺菌機能製品の場合、紫外線が照射される口紅の上端部分は有害菌の殺菌処理が容易に行われて有害菌がないが、紫外線が照射されない側面部分は有害菌を殺菌処理できない問題がある。
【０００８】
また、殺菌ランプが容器の内部に内蔵されており、蓋を閉めると、作動有無を確認することができず、これにより、バッテリーの放電または殺菌ランプの故障により殺菌機能を遂行できない場合、有害菌の繁殖から自由になれないという問題がある。
【考案の概要】
【考案が解決しようとする課題】
【０００９】
本考案は上記のような従来技術の問題点を解決するために創出されたものであり、本考案の目的は、紫外線を照射する殺菌ランプの作動有無を外部で確認できるようにする化粧品容器を提供することである。
【００１０】
また、本考案の目的は、１つの殺菌ランプで紫外線が直接照射される口紅の上端部分だけでなく、直接照射されない側面部分にも間接照射されるようにして保管時に口紅の露出される全ての部分の汚染を防止できるようにする化粧品容器を提供することである。
【００１１】
また、本考案の目的は、スポンジチップのような化粧道具が蓋に備えられる場合も、化粧道具と口紅を同時に殺菌できるようにする化粧品容器を提供することである。
【課題を解決するための手段】
【００１２】
本考案の一側面による化粧品容器は、内部に口紅が収容される下部ケースを含む本体と、上記本体を開閉する上部ケースを含む蓋と、上記蓋の内部に装着される発光モジュールと、を含み、上記発光モジュールは、上記口紅に対して殺菌機能を有する第１ランプと、表示機能を有する第２ランプと、を含み、上記第１ランプ、第２ランプは上記蓋を閉じると同時に一定時間の間点灯してから消灯し、上記第２ランプは外部で上記第１ランプの作動有無が確認できるようにすることを特徴とする。
【００１３】
具体的に、上記発光モジュールは、上記第１ランプが実装され下部を構成する第１回路基板と、上記第１回路基板と電気的に連結され、上記第２ランプが実装され上部を構成する第２回路基板と、上記第１回路基板と上記第２回路基板に設けられ、上記第１ランプ、第２ランプに電源を供給する少なくとも１つのバッテリーと、上記第１回路基板に実装され、上記蓋を閉じるとき上記下部ケースの縁に接して電源がオン状態になるようにするスイッチと、を含んでもよい。
【００１４】
具体的に、上記第１ランプからの紫外線が照射されない上記口紅の側面部に紫外線が間接照射されるようにする紫外線反射手段をさらに含んでもよい。
【００１５】
具体的に、上記紫外線反射手段は、上記第１ランプが中心に位置し、上記第１ランプから照射される紫外線を反射して上記口紅の側面に間接照射される角度をなす皿型反射体であってもよい。
【００１６】
具体的に、上記紫外線反射手段は、上記第１ランプから照射される紫外線を反射して上記口紅の側面に間接照射されるように上記下部ケースの内側面に設けられる円筒型反射体であってもよい。
【００１７】
具体的に、上記紫外線反射手段は、上記第１ランプの発光部分に設けられ、上記第１ランプから照射される紫外線の広がり角度を調整して上記円筒型反射体に紫外線を送る凹レンズをさらに含んでもよい。
【００１８】
本考案の他の側面による化粧品容器は、内部に口紅が収容される下部ケースを含む本体と、上記本体を開閉する上部ケースと、上記上部ケースの上端部を密閉するカバーを含む蓋と、上記カバーに付着される化粧道具と、上記上部ケースの内部に装着される発光モジュールと、を含み、上記発光モジュールは、上記口紅に対して殺菌機能を有する第１ランプと、上記蓋を閉じると、上記第１ランプと同時に一定時間の間点灯してから消灯し、上記化粧道具に対して殺菌機能を有する第３ランプと、を含むことを特徴とする。
【００１９】
本考案のさらに他の側面による蓋は、殺菌機能を有する第１ランプと、表示機能を有する第２ランプと、を含む発光モジュールが装着され、上記発光モジュールは、殺菌対象物を収容するケースに結合されると、上記第１ランプ、第２ランプが同時に一定時間の間点灯して上記殺菌対象物を殺菌し、一定時間後には自動的に消灯することができる。
【００２０】
具体的に、上記発光モジュールは、上記第１ランプが実装され下部を構成する第１回路基板と、上記第１回路基板と電気的に連結され、上記第２ランプが実装され上部を構成する第２回路基板と、上記第１回路基板と上記第２回路基板に設けられ、上記第１ランプ、第２ランプに電源を供給する少なくとも１つのバッテリーと、上記第１回路基板に実装され、上記ケースに接触すると、電源がオン状態になるようにするスイッチと、を含んでもよい。
【００２１】
具体的に、上記第１ランプからの紫外線が照射されない上記殺菌対象物の側面部に紫外線が間接照射されるようにする紫外線反射手段をさらに含んでもよい。
【００２２】
具体的に、上記紫外線反射手段は、上記第１ランプが中心に位置し、上記第１ランプから照射される紫外線を反射して上記殺菌対象物の側面に間接照射される角度をなす皿型反射体であってもよい。
【考案の効果】
【００２３】
本考案による化粧品容器は、殺菌機能を有する第１ランプと同時に点灯または消灯する表示機能を有する第２ランプが透明材質のカバー側に配置されるように発光モジュールを構成することで、紫外線を照射する第１ランプの作動有無を外部で確認することができる。
【００２４】
また、本考案による化粧品容器は、口紅の上端部分に紫外線を照射することができるように１つの第１ランプを備え、下部ケースに収容されて保管される口紅の側面部分にも第１ランプからの紫外線が間接照射されるように紫外線反射手段を備えることにより、１つの第１ランプでも紫外線が直接照射される口紅の上端部分だけでなく、直接照射されない側面部分にも紫外線が間接照射されることができるため、保管時に口紅の露出される全ての部分の汚染を防止することができ、殺菌力を増加させることができる。
【００２５】
また、本考案による化粧品容器は、発光モジュールの上部に殺菌機能を有する第１ランプを設け、発光モジュールの下部に殺菌機能を有する第３ランプを設けることで、スポンジチップのような化粧道具が蓋に備えられる場合も化粧道具と口紅を同時に殺菌することができる。
【図面の簡単な説明】
【００２６】
【図１】本考案の一実施例による化粧品容器の分解図である。
【図２】本考案の一実施例による化粧品容器の斜視図である。
【図３】本考案の一実施例による化粧品容器の断面図である。
【図４】本考案の一実施例による化粧品容器の部分切開図である。
【図５】本考案による発光モジュールの正面図である。
【図６】本考案による発光モジュールの平面図である。
【図７】本考案による発光モジュールの背面図である。
【図８】本考案の一実施例による化粧品容器を構成的に示したものである。
【図９】本考案によるＵＳＢポート充電手段の実施例を説明するためのものである。
【図１０】本考案によるＵＳＢポート充電手段の実施例を説明するためのものである。
【図１１】本考案によるＵＳＢポート充電手段の実施例を説明するためのものである。
【図１２】本考案による紫外線反射手段の実施例を説明するためのものである。
【図１３】本考案による紫外線反射手段の実施例を説明するためのものである。
【図１４】本考案による紫外線反射手段の実施例を説明するためのものである。
【図１５】本考案の他の実施例による化粧品容器を説明するためのものである。
【考案を実施するための形態】
【００２７】
本考案の目的、特定の利点及び新規な特徴は、添付の図面と関連する以下の詳細な説明と好ましい実施例から更に明らかになるだろう。本明細書では、各図面の構成要素に参照番号を付するにおいて、同じ構成要素に限ってはたとえ他の図面上に表示されていても、可能な限り同じ番号を付したことに留意すべきである。また、本考案を説明するに当たり、関連する公知技術に対する具体的な説明が本考案の要旨を不要に不明確にすると判断される場合は、その詳細な説明は省略する。
【００２８】
以下、添付の図面を参照して本考案の好ましい実施例を詳細に説明する。
【００２９】
図１は本考案の一実施例による化粧品容器の分解部であり、図２は本考案の一実施例による化粧品容器の斜視図であり、図３は本考案の一実施例による化粧品容器の断面図であり、図４は本考案の一実施例による化粧品容器の部分切開図であり、図５は本考案による発光モジュールの正面図であり、図６は本考案による発光モジュールの平面図であり、図７は本考案による発光モジュールの背面図であり、図８は本考案の一実施例による化粧品容器を構成的に示したものであり、図９、図１０及び図１１は本考案によるＵＳＢポート充電手段の実施例を説明するためのものであり、図１２、図１３及び図１４は本考案による紫外線反射手段の実施例を説明するためのものであり、図１５は本考案の他の実施例による化粧品容器を説明するためのものである。
【００３０】
本実施例では、化粧品容器１が下端部を回転させると、口紅ＬＳが上昇して外部に露出され、反対方向に回転させると、口紅ＬＳが下降して内部に保管される口紅容器である場合を説明するが、以下に説明する本考案の技術的構成はノズルチップ、ブラシ、パフなどの様々な化粧品容器にも適用できることは言うまでもない。
【００３１】
図１〜図１４を参照すると、本考案の一実施例による化粧品容器１は、ベース２、下部ケース４、上部ケース５、カバー６、モジュールケース７、発光モジュール８を含む。ここで、ベース２と下部ケース４は口紅ＬＳを固定及び収容する化粧品容器１の本体であってもよく、上部ケース５とカバー６はこのような本体を開閉することができる蓋であってもよい。
【００３２】
ベース２は化粧品容器１の下端部をなし、口紅ＬＳが結合されたホルダー３が収容され、下部ケース４と連結されて回転方向を切り替えることで、ホルダー３を昇降させる。
【００３３】
下部ケース４は内部に口紅ＬＳを収容した状態で保管することができ、ベース２に結合されてベース２の回転に応じて口紅ＬＳが昇降されるように構成されてもよい。即ち、下部ケース４は案内管４１と回転管４２からなってもよい。
【００３４】
案内管４１は円筒状であり、案内管４１の内側に挿設されたホルダー３の昇降突起が位置できるように外周面に上下に長く形成された案内スリットが形成されてもよい。即ち、案内管４１は、ベース２を回転させると、案内スリットに沿ってホルダー３が昇降するように構成されることができる。
【００３５】
回転管４２は案内管４１の案内スリットの外側に結合され、内周面に螺旋溝が形成されてもよい。螺旋溝には案内管４１の案内スリットに貫通されたホルダー３の昇降突起が位置し、回転管４２を回転させると、ホルダー３の昇降突起が案内管４１の案内スリット内で上下移動するようになる。
【００３６】
上部ケース５はベース２に着脱可能に結合されてもよく、下部ケース４を収容し、後述する発光モジュール８が内部に装着されるように構成されてもよい。
【００３７】
当該上部ケース５は上端部をカバー６で密閉することで、保管時に口紅ＬＳを外部の環境から保護することができる蓋の役割をする。
【００３８】
カバー６は、結合部６１によって上部ケース５の上端に着脱可能に結合されて上部ケース５の上端部を密閉し、後述する発光モジュール８を上部ケース５に装着及びメンテナンスできるようにする。
【００３９】
当該カバー６は、外部から内部を見ることができるように石英ガラスのような透明材質からなってもよく、上面にロゴなどの装飾が設けられてもよい。
【００４０】
また、カバー６には拡散板６２がさらに備えられてもよい。
【００４１】
拡散板６２は、カバー６の下端に設けられて発光モジュール８の第２ランプ８８ｂから照射される光の広がり効果を具現することにより、カバー６の上面のロゴが鮮明に見えるようにする。
【００４２】
モジュールケース７は後述する発光モジュール８のハウジングであって、上部ケース５の内部に装着されてもよい。
【００４３】
当該モジュールケース７は、上部ケース５のカバー６が除去された状態で上部ケース５の上側を通じて内部に挿入されて装着されることができ、その後、カバー６をして固定されてもよい。モジュールケース７は上面部が上部ケース５の上端と同じレベルになるように装着されてもよい。
【００４４】
発光モジュール８はモジュールケース７によって上部ケース５の内部に装着されることができ、殺菌機能を有する第１ランプ８８ａによって口紅ＬＳを殺菌するだけでなく、第１ランプ８８ａの作動有無を、表示機能を有する第２ランプ８８ｂによって外部で確認できるように構成されてもよい。ここで、口紅ＬＳは蓋に装着される発光モジュール８で殺菌する殺菌対象物であってもよい。
【００４５】
第１ランプ８８ａと第２ランプ８８ｂは、回路基板８１、８２の上部及び下部にそれぞれ実装されてバッテリー８３、８４から電源の供給を受け、スイッチ８７の作動によりオン／オフされてもよい。本実施例では、連結ピンＰと連結ホールＨによって互いに電気的に連結される第１、２回路基板８１、８２が積層された構造である場合を例に挙げて説明し、このとき、発光モジュール８の下部をなす第１回路基板８１には第１ランプ８８ａ、第１バッテリー８３、スイッチ８７が実装され、発光モジュール８の上部をなす第２回路基板８２には第２ランプ８８ｂ、第２バッテリー８４が実装されてもよい。
【００４６】
第１、２回路基板８１、８２は、図６及び図７に示したように、ノイズを除去するための複数のキャパシタＣ、回路保護のための複数の抵抗Ｒ、電源生成や伝達のための複数のチャージポンプＣＰ、そして発光モジュール８の作動を制御するメインコントロールユニットＭＣＵなどが設けられてもよく、その他に発光モジュール８の様々な作動のために使用され得る回路に関する構成が自由に付加されてもよく、ここでは、第１、２回路基板８１、８２の具体的な回路構成に対する説明を省略する。但し、本実施例の回路構成は、少なくともスイッチ８７が作動オン状態になったとき、第１ランプ８８ａと第２ランプ８８ｂが同時に点灯し、その後、一定時間、例えば、１０秒経過後に自動的に消灯するようにすることを含む。
【００４７】
第１ランプ８８ａは殺菌機能を有するＵＶ  ＬＥＤ（ＵＶ−Ｃ）ランプであってもよく、口紅ＬＳの中心に一致するように第１回路基板８１の中央部位に１つが実装される。口紅ＬＳを収容する化粧品容器１のサイズは使用の側面で限定されるしかなく、これにより、第１回路基板８１の空間も限定されて第１ランプ８８ａを複数設置するのに制約があり、本実施例では１つだけを実装する。当該第１ランプ８８ａは紫外線がよく透過する透明材質、例えば、石英ガラスのような材質からなる保護板８９によって保護されてもよい。
【００４８】
第２ランプ８８ｂは一般的なＬＥＤランプであってもよく、第１ランプ８８ａと同時に点灯または消灯することができ、照射される光を外部で見ることができるようにカバー６側に配置される第２回路基板８２に少なくとも１つが実装されてもよい。
【００４９】
上記した本考案の一実施例による化粧品容器１を図８のように構成的に示すことができる。
【００５０】
図８を参照すると、本考案の化粧品容器１は、入力部１００を介して信号が入力されると、制御部２００で第１、２駆動部３００、４００を駆動させ、第１駆動部３００によって第１ランプ部５００が作動し、第２駆動部４００によって第２ランプ部６００が作動することができる。
【００５１】
ここで、入力部１００は上記したスイッチ８７を含んでもよい。制御部２００は上記したメインコントロールユニットＭＣＵを含んでもよい。第１駆動部３００は図６に示された２つのチャージポンプＣＰのうち１つを含んでもよい。第２駆動部４００は図６に示された２つのチャージポンプＣＰの他の１つを含んでもよい。第１ランプ部５００は上記した第１ランプ８８ａを含んでもよい。第２ランプ部６００は上記した第２ランプ８８ｂを含んでもよい。
【００５２】
第１、２バッテリー８３、８４は第１、２回路基板８１、８２の間に配置されてもよく、このとき、第１バッテリー８３は第１回路基板８１に実装され、第２バッテリー８４は第２回路基板８２に実装されてもよい。第１、２バッテリー８３、８４は第１ランプ８８ａ、第２ランプ８８ｂに電源を供給することができ、また、後述する第３ランプ８８ｃにも電源を供給することができる。
【００５３】
第１、２バッテリー８３、８４の間には回路基板固定部８５が設けられて第１、２回路基板８１、８２を固定させることができる。回路基板固定部８５はポリエチレンテープ（ＰＥ  ＴＡＰＥ）であってもよい。
【００５４】
また、第１、２バッテリー８３、８４はバッテリー固定部８６によって安定的に固定されることができる。
【００５５】
第１、２バッテリー８３、８４のそれぞれは３Ｖバッテリーであってもよく、このとき、化粧品容器１は６Ｖ（３Ｖｘ２）の電圧で作動されてもよいが、これは実施例に過ぎず、容量、個数は変更されてもよい。また、第１ランプ８８ａ、第２ランプ８８ｂのそれぞれは決まった時間の間、例えば、１０秒間継続して付いていてもよく、点灯される形態であってもよく、様々な点灯方式を含んでもよい。点灯形態である場合、第１、２バッテリー８３、８４の電力消耗の節減及び第１ランプ８８ａ、第２ランプ８８ｂの寿命を延長することができる。
【００５６】
上記した第１、２バッテリー８３、８４はバッテリー交換型またはバッテリー充電型であってもよく、バッテリー充電型である場合はＵＳＢポート充電手段を採用することができる。
【００５７】
ＵＳＢポート充電手段の一実施例として、図９に示したように、ＵＳＢポート３０ａがベース２の下端部に備えられてもよく、ベース２と上部ケース５が当接する部分に設けられた電気接点３１が接触されてバッテリー８３、８４を充電させることができる。この場合は、ＵＳＢポート３０ａがベース２の下端部に設けられるため、外観上、ＵＳＢポート３０ａが露出されない。
【００５８】
また、ＵＳＢポート充電手段の他の実施例として、図１０に示したように、ＵＳＢポート３０ｂが蓋の上面をなすカバー６に備えられてもよい。この場合は、図９に示された電気接点３１のような別の連結装置が不要である。但し、ＵＳＢポート３０ｂが外部に露出されるため、外観上、ＵＳＢポート３０ｂを隠す装飾を兼ねるキャップ３２がさらに備えられることができる。
【００５９】
また、ＵＳＢポート充電手段のさらに他の実施例として、図１１に示したように、ＵＳＢポート３０ｃが蓋である上部ケース５に備えられてもよい。この場合は、図９に示された別の電気接点３１が露出されて備えられる必要がない。ＵＳＢポート３０ｃは、外観上、上部ケース５の下部に備えられることが好ましいため、蓋である上部ケース５が本体であるベース２の下までくる構成を採用することができる。ＵＳＢポート３０ｃが上部ケース５の下部に備えられ、当該上部ケース５がベース２の下までくるように構成される場合、本実施例のベース２及び上部ケース５の形状は、図９及び図１０に示されたベース２及び上部ケース５の形状とは異なることができる。
【００６０】
本実施例では、上記したようにＵＳＢポート充電手段が３つである場合を例に挙げて説明したが、その他にも多様に具現できる。
【００６１】
スイッチ８７は第１回路基板８１に実装されてもよい。スイッチ８７はボタン式であってもよく、上部ケース５とカバー６からなる蓋を閉めると、下部ケース４の縁の部分に接して電源がオン状態になって第１ランプ８８ａと第２ランプ８８ｂが同時に点灯し、その後タイマーが作動して一定時間が経過してから自動的にオフ状態になって第１ランプ８８ａと第２ランプ８８ｂが同時に消灯するように構成されてもよい。
【００６２】
下部ケース４の縁に接するスイッチ８７の部分は、下部ケース４との摩擦を最小化し、滑らかな感覚を与えるためにコーティング、テーピングなどにより摩擦力を減らしてもよい。
【００６３】
上記した本実施例の化粧品容器１は、２つの回路基板８１、８２、２つのバッテリー８３、８４が適用される場合を例に挙げて説明したが、これに限定されず、１つの回路基板及び１つのバッテリーで構成されるものを含んでもよい。
【００６４】
これにより、本実施例は、殺菌機能を有する第１ランプ８８ａと同時に点灯または消灯する表示機能を有する第２ランプ８８ｂを透明材質のカバー６側に配置されるように発光モジュール８を構成することで、紫外線を照射する第１ランプ８８ａの作動有無を外部で確認することができる。
【００６５】
上述したように、上記した本考案の第１ランプ８８ａは、第１回路基板８１の空間の制約によって第１回路基板８１の中央部分に１つだけが実装される。この場合、口紅ＬＳの上端部分は第１ランプ８８ａからの紫外線が直接照射されて汚染を防止することができるが、口紅ＬＳの側面は依然として紫外線が照射されない死角領域であり、側面の汚染が防止できないという問題がある。このような問題を解決するための方案として、本実施例は、死角領域である口紅ＬＳの側面にも紫外線を照射することができる紫外線反射手段を提示し、以下に具体的に説明する。
【００６６】
本考案の一実施例による化粧品容器１は、図１２、図１３及び図１４に示したように、反射体９ａ、９ｂ及び凹レンズ１０のような紫外線反射手段をさらに含んでもよい。
【００６７】
反射体９ａは、図１２に示したように、第１ランプ８８ａが中心に位置し、第１ランプ８８ａから照射される紫外線を反射して口紅ＬＳの側面に間接照射できる角度をなす皿型に形成されてもよい。
【００６８】
他の反射体９ｂは、図１３に示したように、第１ランプ８８ａから照射される紫外線を反射して口紅ＬＳの側面に間接照射されるように下部ケース４の内側面に設けられる円筒型に形成されてもよい。
【００６９】
凹レンズ１０は、図１４に示したように、円筒型反射体９ｂが形成された状態で第１ランプ８８ａの発光部分にさらに設けられてもよい。
【００７０】
凹レンズ１０は、第１ランプ８８ａから照射される紫外線の広がり角度を調整して円筒型反射体９ｂに紫外線を送ることができる。これにより、円筒型反射体９ｂのみを適用する場合に比べて、口紅ＬＳの側面の紫外線照射領域をさらに増加させることができる。
【００７１】
図示していないが、皿型反射体９ａと円筒型反射体９ｂを組み合わせて設けることもできる。
【００７２】
これにより、本実施例は、口紅ＬＳの上端部分に紫外線を照射する１つの第１ランプ８８ａを備え、下部ケース４に収容され保管される口紅ＬＳの側面部分にも第１ランプ８８ａからの紫外線が間接照射されるように紫外線反射手段９ａ、９ｂ、１０を備えることで、１つの第１ランプ８８ａだけでも紫外線が直接照射される口紅ＬＳの上端部分だけでなく、直接照射されない側面部分にも紫外線が間接照射されることができるため、保管時に口紅ＬＳの露出される全ての部分の汚染を防止することができ、殺菌力を増加させることができる。
【００７３】
図１５は本考案の他の実施例による化粧品容器を説明するためのものである。
【００７４】
図１５を参照すると、本考案の他の実施例による化粧品容器１ａは、上述した一実施例による化粧品容器１と比べて、ベース２、下部ケース４は同一または類似し、化粧道具２０がさらに備えられ、さらに備えられる化粧道具２０によって上部ケース５ａ、カバー６ａ、発光モジュール８ａそれぞれの構成が異なることができる。以下では、化粧道具２０によって変わる構成に対してのみ説明し、同じ構成に対する説明は重複を避けるために省略する。
【００７５】
化粧道具２０はスポンジチップであってもよい。スポンジチップの化粧道具２０はカバー６ａに付着されてもよい。
【００７６】
このとき、カバー６ａは上部ケース５ａの上端部を密閉するだけでなく、化粧道具２０の一部分としての把持部の機能も有するように構成されてもよい。即ち、一実施例のカバー６が上部ケース５を密閉しながら発光モジュール８を固定させる機能を有するのであれば、本実施例のカバー６ａは使用者が手で容易に把持できるように高さが延長される構成で形成されてもよい。
【００７７】
本実施例の発光モジュール８ａは、一実施例の発光モジュール８と比べると、第１回路基板１に第１ランプ８８ａが実装されるのは同じであるが、第２回路基板８２に実装される表示機能を有する第２ランプ８８ｂの代わりに殺菌機能を有する第３ランプ８８ｃが実装される構成が異なることができる。
【００７８】
第３ランプ８８ｃは第２回路基板８２に実装されて化粧道具２０に紫外線を照射して汚染を防止することができる。第３ランプ８８ｃは第１回路基板１に実装される第１ランプ８８ａと同時に点灯または消灯することができる。
【００７９】
第３ランプ８８ｃは化粧道具２０を容易に殺菌できるように化粧道具２０から一定距離離隔されなければならない。そのため、本実施例の上部ケース５ａは一実施例の上部ケース５に比べて全長がさらに長くてもよく、本実施例の発光モジュール８ａは一実施例の発光モジュール８とは異なり、上部ケース５ａの上端部より下側に装着される。
【００８０】
上記のように構成される他の実施例の化粧品容器１ａにも、一実施例の化粧品容器１に適用される紫外線反射手段９ａ、９ｂ、１０が備えられてもよい。
【００８１】
これにより、本実施例は、発光モジュール８ａの上部に殺菌機能を有する第１ランプ８８ａを設け、発光モジュール８ａの下部に殺菌機能を有する第３ランプ８８ｃを設けることにより、スポンジチップのような化粧道具２０が蓋の一部であるカバー６ａに備えられる場合にも化粧道具２０と口紅ＬＳを同時に殺菌することができる。
【００８２】
以上では、本考案の実施例を中心に本考案を説明したが、これは例示に過ぎず、本考案を限定するものではなく、本考案が属する分野の通常の知識を有する者であれば、本実施例の本質的な技術内容から外れない範囲内で実施例に例示されていない様々な組み合わせまたは変形と応用が可能であることが分かるだろう。従って、本考案の実施例から容易に導出できる変形と応用に関する技術内容は本考案に含まれると解釈すべきである。
【符号の説明】
【００８３】
１、１ａ  化粧品容器
２  ベース
３  ホルダー
４  下部ケース
４１  案内管
４２  回転管
５、５ａ  上部ケース
６、６ａ  カバー
６１  結合部
６２  拡散板
７  モジュールケース
８、８ａ  発光モジュール
８１  第１回路基板
８２  第２回路基板
８３  第１バッテリー
８４  第２バッテリー
８５  回路基板固定部
８６  バッテリー固定部
８７  スイッチ
８８ａ  第１ランプ
８８ｂ  第２ランプ
８８ｃ  第３ランプ
８９  保護板
９ａ、９ｂ  反射体
１０  凹レンズ
２０  化粧道具
３０ａ、３０ｂ、３０ｃ  ＵＳＢポート
３１  電気接点
３２  キャップ
１００  入力部
２００  制御部
３００  第１駆動部
４００  第２駆動部
５００  第１ランプ部
６００  第２ランプ部
ＬＳ  口紅
Ｃ  キャパシタ
Ｒ  抵抗
ＣＰ  チャージポンプ
ＭＣＵ  メインコントロールユニット
Ｐ  連結ピン
Ｈ  連結ホール
【図１】
0003231273.tif 000003
【図２】
0003231273.tif 000004
【図３】
0003231273.tif 000005
【図４】
0003231273.tif 000006
【図５】
0003231273.tif 000007
【図６】
0003231273.tif 000008
【図７】
0003231273.tif 000009
【図８】
0003231273.tif 000010
【図９】
0003231273.tif 000011
【図１０】
0003231273.tif 000012
【図１１】
0003231273.tif 000013
【図１２】
0003231273.tif 000014
【図１３】
0003231273.tif 000015
【図１４】
0003231273.tif 000016
【図１５】
0003231273.tif 000017